(57)【要約】      （修正有）【課題】外部からのアクセスが制限されたネットワークの内部で配信するためのデータを外部から供給でき、内部のアクセス記録を外部へ排出できるデータ配信システム及びデータ配信方法等を提供する。【解決手段】配信サーバは配信先毎に配信用データを記憶しインターネット等の外部ネットワークに接続されている。同様に外部ネットワークに接続された中継サーバは定期的に自ら配信サーバにアクセスし、配信サーバ内の自ら宛の配信用データと同期するように記憶する。物理的に外部から遮断されたイントラネット内の表示サーバは、取り込んだファイルまたはフォルダの配信用データを、自らが既に記憶していた配信用データと照らし合わせ、以前のデータとの差異を確認する。確認後、イントラネット内の端末から新たな配信データの閲覧を可能とし、端末からの閲覧記録を集計しアクセスデータとして外部記憶装置に保存できる形式のファイルに自動的に変換する。【選択図】図１
2006313506.tif 000002
【特許請求の範囲】
【請求項１】
配信先毎に配信用データを記憶する第１のサーバと、前記第１のサーバにアクセスして前記配信用データを定期的に取得し、物理的に遮断されたイントラネット内での閲覧記録データを送信し外部記憶装置を有する第２のサーバと、自己に接続された端末以外接続されていない独立したネットワークに接続された前記配信用データを端末に閲覧させ外部記憶装置を有する第３のサーバを備え、前記第２サーバは、配信用データを外部記憶装置に保存できるように変換する手段と、閲覧記録データを取り込み送信する手段を備え、前記第３のサーバは前記端末に供給する対象のデータを外部記憶装置から取り込み記憶し、前記端末からのアクセスを集計し外部記憶装置に保存できるようにする手段を備える、ことを特徴とするデータ配信システム。
【請求項２】
前記配信用データは、ウェブページを表すデータより構成されており、前記閲覧記録データは、イントラネット内での前記配信用データの端末からの閲覧についての記録をテキストまたはバイナリデータとして記憶する、ことを特徴とする請求項１に記載のデータ配信システム。
【請求項３】
前記独立したネットワークは、物理的にインターネットのような外部との常時接続されていないことを特徴とするデータ配信システム。
【請求項４】
前記第２のサーバは、外部記憶装置を経由して第３のサーバが集計した閲覧記録データを、前記第１のサーバに供給する機能を備える、ことを特徴とするデータ配信システム。
【発明の詳細な説明】
【技術分野】
【０００１】本発明は、データ配信システム及びデータ配信方法に関し、特に、外部と遮断されたイントラネットワーク内で閲覧されるデータを配信し、その閲覧の記録を集計するためのデータ配信システム及びデータ配信方法に関する。
【背景技術】
【０００２】インターネットを用いて伝送、閲覧されるウェブページを、広告等のメッセージを配信する媒体として用いる手法が知られている。たとえば、ウェブページやアプリケーションインターフェースの特定部分にバナーなどの画像（あるいは画像データやドキュメントへのリンク情報）を挿入する手法挿入する手法がある。
【発明の開示】
【発明が解決しようとする課題】
【０００３】同様の手法によるメッセージの配信は、外部から物理的に遮断されたイントラネットのような、インターネットと同様のプロトコルに従ってデータ交換を行う、閉鎖的なネットワークの内部でも行うことが可能である。しかし、このような閉鎖的なネットワークは、このネットワークの外部からのアクセスが物理的にできない。よって、外部からのアクセスにより供給することができなかった。本発明は、上述した事情に鑑みてなされたもので、外部からの物理的にアクセスが制限されたネットワークの内部で配信するためのデータを外部から供給できるデータ配信システム及びデータ配信方法等を提供することを課題とする。
【課題を解決するための手段】
【０００４】上記目的を達成するため、データ配信システムは、配信先毎に配信用データを記憶する第１のサーバと、外部ネットワークに接続され、前記第１のサーバにアクセスして前記配信用データを取得する第２のサーバと、物理的外部から遮断されたネットワーク内の端末に配信用データを閲覧させる第３のサーバを備え、前記第２のサーバは、第３のサーバに供給する対象の配信用データを記憶し、当該配信用データを外部記憶装置で保存可能にし、また第３のサーバから外部記憶装置を経て取得した閲覧記録データを取り込み第１のサーバに送信、また第３のサーバが外部記憶装置を経て配信データを取り込み、当該閲覧データをイントラネット内で閲覧させ、閲覧の記録を外部記憶装置に記憶する、ことを特徴とする。【０００５】このようなデータ配信システムによれば、第３のサーバから第２のサーバへのアクセスは不可能な状態で、第１のサーバが記憶する配信用データが第２のサーバにより取得され、第２のサーバから外部記憶装置に保存可能なファイルとして配信用データが閲覧用データとして出力され、第３のサーバに前記ファイルを取り込むことによりこの配信用データの内容が端末へと配信される。【０００６】前記配信用データは、たとえば、ウェブページを表すデータより構成されていてもよい。この場合、たとえば、前記配信用データは、前記ウェブページに挿入する対象の画像を表すデータより構成されているものとし、データ挿入手段は、前記閲覧用データを、前記ウェブページに自己が取得した前記配信用データが表す前記画像が挿入されたものを表すように変更するものとすればよい。【０００７】前記第２のサーバは、たとえば、ＨＴＴＰ（Ｈｙｐｅｒ  Ｔｅｘｔ  Ｔｒａｎｓｆｅｒ  Ｐｒｏｔｏｃｏｌ）におけるＧＥＴメソッド又はＰＯＳＴメソッドに従って前記配信用データを取得するものであればよい。【０００８】前記第２のサーバは、たとえば、ＦＴＰ（Ｆｉｌｅ  Ｔａｎｓｆｅｒ  Ｐｒｏｔｏｃｏｌ）におけるＧＥＴメソッド又はＭＧＥＴメソッドに従って前記配信用データを取得するものであってもよい。【０００９】前記第２のサーバは、定期的に第１のサーバにアクセスし、自ら宛の配信データと、自らの持つ配信データの同期を取り、第３のサーバから外部記憶装置を経て取り込まれた閲覧記録データから、イントラネット内で第３のサーバが供給している配信データと自らが記憶する配信データの差異を取ることで、第１のサーバと第８のサーバの配信用データの差分を取ることができる。また前記閲覧記録用データを前記第１のサーバに供給する実績報告手段を備えるものとすれば、配信用データが配信された実績を示すデータが第１のサーバに集められ、配信の実績を把握することが容易になる。【００１０】前記実績報告手段は、たとえば、ＨＴＴＰ（Ｈｙｐｅｒ  Ｔｅｘｔ  Ｔｒａｎｓｆｅｒ  Ｐｒｏｔｏｃｏｌ）におけるＧＥＴメソッド又はＰＯＳＴメソッドに従って前記実績データを前記第１のサーバに供給すればよい。【００１１】前記第２のサーバは、たとえば、ＦＴＰ（Ｆｉｌｅ  Ｔｒａｎｓｆｅｒ  Ｐｒｏｔｏｃｏｌ）におけるＰＵＴメソッド又はＭＰＵＴメソッドに従って前記実績データを前記第１のサーバに供給するものであってもよい。【���０１２】前記実績報告手段は、たとえば、Ｍｅｓｓａｇｅ  Ｔｒａｎｓｆｅｒ  Ａｇｅｎｔにおいて電子メールにファイルを添付して前記実績データを前記第１のサーバに供給すればよい。【００１３】また、第３のサーバは、外部から遮断されたネットワーク中で、外部記憶装置を利用して当該閲覧用データを挿入するデータ取得手段と、当該閲覧用データを、自己が取得した前記閲覧用データを含むよう変更するデータ挿入手段と、を備える、ことを特徴とする。【００１４】また、本システムで使用されるプログラムは、コンピュータを、配信する対象の配信用データを記憶し外部記憶装置に保存可能にする手段と、前記ファイルからネットワーク中で閲覧可能なデータとして記憶し、閲覧記録を集計し閲覧記録データとして外部記憶装置に保存可能にし、閲覧記録データの取り込みをトリガーとしてデータの差分を検出することを特徴とする。【００１５】このようなプログラムを実行するコンピュータによれば、物理的に遮断されたネットワークへ配信データを閲覧可能な状態で提供することができる。
【発明の効果】
【００１６】本発明によって、個人情報等の重要データを管理する必要から外部ネットワークへの接続が禁止されているイントラネットへデータ配信を行うことが可能となる。
【発明を実施するための最良の形態】
【００１７】以下、本発明の実施の形態に係るデータ配信システム及びデータ配信方法を、広告配信システムを例とし、図面を参照して説明する。【００１８】図１は、この広告配信システムの構成を示す図である。図示するように、この広告配信システムは、広告配信サーバｓｙｓ１と、インターネットに接続された受信サーバｓｙｓ２と、イントラネットｎ１とより構成されている。広告配信サーバｓｙｓ１及び受信サーバｓｙｓ２は、インターネット等からなる外部のネットワークＮに接続されている。【００１９】広告配信サーバｓｙｓ１は、たとえば、サーバコンピュータより構成されており、図１に示すように、制御部ｃ１と、記憶部ｍ１と、通信制御部ｔｒ１と、タイマｔ１とより構成されている。【００２０】制御部ｃ１は、ＣＰＵ（Ｃｅｎｔｒａｌ  Ｐｒｏｃｅｓｓｉｎｇ  Ｕｎｉｔ）等からなり、記憶部ｍ１が記憶するＷＷＷ（Ｗｏｒｌｄ  Ｗｉｄｅ  Ｗｅｂ）サーバプログラムｐ１の制御の下に、後述するＷＷＷサーバの処理を実行する。【００２１】記憶部ｍ１は、ハードディスク装置やＲＡＭ（Ｒａｎｄｏｍ  Ａｃｃｅｓｓ  Ｍｅｍｏｒｙ）等より構成され、制御部ｃ１に接続されている。記憶部ｍ１は、上述のＷＷＷサーバプログラムｐ１と、広告原稿データａｄ１と、広告画像データａｆ１と、広告配信条件データａｃ１と、広告挿入実績データａｓ１と、広告閲覧実績データａｒ１を記憶する。そして、制御部ｍ１のアクセスに応答して、自己が記憶するこれらのデータを制御部ｃ１に供給する。【００２２】広告原稿データａｄ１は、イントラネットｎ１の内部で閲覧されるウェブページやネットワークアプリケーションに広告として挿入する文章やｈｔｍｌを表すデータである。なお、広告原稿データａｄ１には、各々を特定する広告原稿ＩＤ（ＩＤｅｎｔｉｆｉｃａｔｉｏｎ）が対応付けられている。【００２３】広告画像データａｆ１は、イントラネットｎ１の内部で閲覧されるウェブページやネットワークアプリケーションに広告として挿入する画像や動画を表すデータである。なお、広告画像データａｆ１には、各々を特定する広告原稿ＩＤ（ＩＤｅｎｔｉｆｉｃａｔｉｏｎ）が対応付けられ、どの広告原稿データａｄ１と紐付けられている。【００２４】広告配信条件データａｃ１は、どのような条件が満たされたときに広告原稿データａｄ１や広告画像データａｆ１をイントラネットｎ１の少なくとも一部へ供給することを許可するかを、個々の広告原稿データ毎に示すデータである。【００２５】広告配信条件データａｃ１は、具体的には、たとえば以下（Ａ１）〜（Ａ８）として示すデータ、すなわち、（Ａ１）広告原稿データａｄ１を特定する広告原稿ＩＤ、（Ａ２）（Ａ１）の広告原稿ＩＤが示す広告原稿データａｄ１を、どのような組織が利用するイントラネットへと配信するかを指定する優先配信先指定データ、（Ａ３）（Ａ１）の広告原稿ＩＤが示す広告原稿データａｄ１を、どの組織のどの部門が利用するイントラネットへと配信するかを指定する優先配信組織内部門指定データ、（Ａ４）（Ａ１）の広告原稿ＩＤが示す広告原稿データａｄ１を、どの地域で利用されているイントラネットに配信するかを指定する優先配信地域指定データ、（Ａ５）（Ａ１）の広告原稿ＩＤが示す広告原稿データａｄ１  がイントラネット１個当たりで配信される件数の最小値を指定する配信最小件数指定データ、（Ａ６）（Ａ１）の広告原稿ＩＤが示す広告原稿データａｄ１がイントラネット１個当たりで配信される件数の最大値を指定する配信最大件数指定データ、（Ａ７）（Ａ１）の広告原稿ＩＤが示す広告原稿データａｄ１の配信を開始する日を指定する配信開始日指定データ、及び（Ａ８）（Ａ１）の広告原稿ＩＤが示す広告原稿データａｄ１の配信を終了する日を指定する配信終了日指定データを、互いに対応付けて含んでいる。互いに対応付けられた（Ａ１）〜（Ａ８）のデータの組が、１個の配信条件を表す。また、互いに対応付けられた（Ａ１）〜（Ａ８）のデータの組には、（Ａ９）この組を識別する広告出稿条件ＩＤ、が対応付けられている。【００２６】広告配信条件データａｃ１が上述の（Ａ２）〜（Ａ４）のデータを含むとき、広告配信条件データａｃ１は更に、たとえば、イントラネットｎ１の各々について、当該イントラネットを利用する組織の業種や部門を示すデータと、当該イントラネットが利用されている地域とを示すデータを含んでいる。【００２７】広告挿入実績データａｓ１は、広告原稿データａｄ１が受信サーバｓｙｓ２へ供給された実績を示すデータである。広告挿入実績データａｓ１には、各々を特定する広告出稿条件ＩＤ（ＩＤｅｎｔｉｆｉｃａｔｉｏｎ）が対応付けられる。【００２８】広告挿入実績データａｓ１は、具体的には、たとえば以下（Ｂ１）〜（Ｂ４）として示すデータ、すなわち、（Ｂ１）上述の広告出稿条件ＩＤ、（Ｂ２）（Ｂ１）の広告出稿条件ＩＤにより特定される配信条件に従って広告原稿データａｄ１を配信された受信サーバｓｙｓ２を示す配信先ＩＤ、（Ｂ３）（Ｂ１）の広告出稿条件ＩＤにより特定される配信条件に従って広告原稿データａｄ１が配信された総件数を示す配信件数データ、及び（Ｂ４）（Ｂ１）の広告出稿条件ＩＤにより特定される配信条件に従って広告原稿データａｄ１が配信された最終の日付を示す最終配信日データを、互いに対応付けて含んでいる。そして、後述する広告挿入実績報告の処理に従って更新される。【００２９】広告閲覧実績データａｒ１は、制御部ｃ１を経由して、受信サーバｓｙｓ２から送られてきたデータである。広告閲覧実績データａｒ１には、各々を特定する広告閲覧条件ＩＤ（ＩＤｅｎｔｉｆｉｃａｔｉｏｎ）が対応付けられる。【００３０】広告閲覧実績データａｒ１は、具体的には、たとえば以下（Ｃ１）〜（Ｃ４）として示すデータ、すなわち、（Ｃ１）上述の広告閲覧条件ＩＤ、（Ｃ２）（Ｃ１）の広告閲覧条件ＩＤにより特定される配信条件に従って広告原稿データａｄ１を配信されたイントラネットｎ２を示す配信先ＩＤ、（Ｃ３）（Ｃ１）の広告閲覧条件ＩＤにより特定される配信条件に従って広告原稿データａｄ１が閲覧された総件数を示す配信件数データ、及び（Ｃ４）（Ｃ１）の広告閲覧条件ＩＤにより特定される配信条件に従って広告原稿データａｄ１が閲覧された最終の日付と時刻を示す最終配信日データを、互いに対応付けて含んでいる。そして、後述する広告閲覧実績報告の処理に従って更新される。【００３１】通信制御部ｔｒ１は、ＤＳ���（Ｄａｔａ  Ｓｅｒｖｉｃｅ  Ｕｎｉｔ）や、モデムあるいはターミナルアダプタ等より構成され、ネットワークＮ、及び、制御部ｃ１に接続されている。通信制御部ｔｒ１は、ネットワークＮを介して広告配信サーバｓｙｓ１宛てに供給されたデータを受信して制御部ｃ１に供給し、また、制御部ｃ１より供給されたデータをネットワークＮへと送出する。【００３２】受信サーバｓｙｓ２は、たとえば、サーバコンピュータより構成されており、図２に示すように、制御部ｃ２と、記憶部ｍ２と、通信制御部ｔｒ２と、タイマｔ２と外部記憶装置ｏｄ２より構成されている。【００３３】制御部ｃ２は、ＣＰＵ（Ｃｅｎｔｒａｌ  Ｐｒｏｃｅｓｓｉｎｇ  Ｕｎｉｔ）等からなり、記憶部ｍ２が記憶する受信用プログラムｐ２の制御の下に後述する処理を実行する。【００３４】記憶部ｍ２は、ハードディスク装置やＲＡＭ（Ｒａｎｄｏｍ  Ａｃｃｅｓｓ  Ｍｅｍｏｒｙ）等より構成され、制御部ｃ２に接続されている。記憶部ｍ２は、上述の受信プログラムｐ２と、広告原稿データａｄ２と、広告画像データａｆ２と、広告配信条件データａｃ２と、広告挿入実績データａｓ２と、広告閲覧実績データａｒ２を記憶する。そして、制御部ｍ２のアクセスに応答して、自己が記憶するこれらのデータを制御部ｃ２に供給する。【００３５】広告原稿データａｄ２は、イントラネットｎ１の内部で閲覧されるウェブページやネットワークアプリケーションに広告として挿入する文章やｈｔｍｌを表すデータである。なお、広告原稿データａｄ２には、各々を特定する広告原稿ＩＤ（ＩＤｅｎｔｉｆｉｃａｔｉｏｎ）が対応付けられている。【００３６】広告画像データａｆ２は、イントラネットｎ１の内部で閲覧されるウェブページやネットワークアプリケーションに広告として挿入する画像や動画を表すデータである。なお、広告画像データａｆ２には、各々を特定する広告原稿ＩＤ（ＩＤｅｎｔｉｆｉｃａｔｉｏｎ）が対応付けられ、どの広告原稿データａｄ２と紐付けられている。【００３７】広告配信条件データａｃ２は、どのような条件が満たされたときに広告原稿データａｄ２や広告画像データａｆ２をイントラネットｎ１の少なくとも一部へ供給することを許可するかを、個々の広告原稿データ毎に示すデータである。配信サーバｓｙｓ１記録部ｍ１の広告配信条件データと同じデータを持ち、同期を行う。【００３８】広告挿入実績記録データａ８２は、広告原稿データａｄ２が外部記憶装置ｏｄ１へ、閲覧データとして供給された実績を示すデータである。広告挿入実績データａｓ２には、各々を特定する広告出稿条件ＩＤ（ＩＤｅｎｔｉｆｉｃａｔｉｏｎ）が対応付けられる。【００３９】広告挿入実績データａｓ２は、配信サーバｓｙｓ１記憶部の広告挿入実績データａｓ１と同様のデータを持ち、広告原稿データを外部記憶装置に記憶できるファイルまたはフォルダに出力を行うことで更新される。【００４０】広告閲覧実績データａｒ１は、制御部ｃ２を経由して、外部記憶装置ｏｄ１より送られてきたデータである。広告閲覧実績データａｒ２には、各々を特定する広告閲覧条件ＩＤ（ＩＤｅｎｔｉｆｉｃａｔｉｏｎ）が対応付けられる。【００４１】広告閲覧実績データａｒ２は、配信サーバｓｙｓ１記���部の広告挿入実績データａｓ１と同様のデータを持つ。【００４２】受信サーバｓｙｓ２は広告閲覧実績データａｒ２を取り込むことをトリガーとして、広告閲覧実績データより、組織内配信サーバｓｙｓ３で供給されている広告原稿データａｄ３と、受信サーバｓｙｓ２の記録部ｍ２に記憶されている広告原稿データａｄ２の差分を確認し、同一でない場合は、広告原稿データａｄ２を外部記憶装置に保存可能なファイルまたはフォルダとして出力する。【００４３】通信制御部ｔｒ２は、ＤＳＵ（Ｄａｔａ  Ｓｅｒｖｉｃｅ  Ｕｎｉｔ）や、モデムあるいはターミナルアダプタ等より構成され、ネットワークＮ、及び、制御部ｃ２に接続されている。通信制御部ｔｒ２は、ネットワークＮを介して広告配信サーバｓｙｓ２宛てに供給されたデータを受信して制御部ｃ２に供給し、また、制御部ｃ２より供給されたデータをネットワークＮへと送出する。【００４４】組織内配信サーバｓｙｓ３は、たとえば、サーバコンピュータより構成されており、図２に示すように、制御部ｃ３と、記憶部ｍ３と、通信制御部ｔｒ３と、タイマｔ３と外部記憶装置ｏｄ３より構成されている。【００４５】制御部ｃ３は、ＣＰＵ（Ｃｅｎｔｒａｌ  Ｐｒｏｃｅｓｓｉｎｇ  Ｕｎｉｔ）等からなり、記憶部ｍ３が記憶する閲覧用プログラムｐ３の制御の下に後述する処理を実行する。【００４６】記憶部ｍ３は、ハードディスク装置やＲＡＭ（Ｒａｎｄｏｍ  Ａｃｃｅｓｓ  Ｍｅｍｏｒｙ）等より構成され、制御部ｃ３に接続されている。記憶部ｍ３は、上述の受信プログラムｐ３と、広告原稿データａｄ３と、広告画像データａｆ３と、広告配信条件データａｃ３と、広告挿入実績データａｓ３と、広告閲覧実績データａｒ３を記憶する。そして、制御部ｍ３のアクセスに応答して、自己が記憶するこれらのデータを制御部ｃ３に供給する。【００４７】広告原稿データａｄ３は、イントラネットｎ１の内部で閲覧されるウェブページやネットワークアプリケーションに広告として挿入する文章やｈｔｍｌを表すデータである。なお、広告原稿データａｄ３には、各々を特定する広告原稿ＩＤ（ＩＤｅｎｔｉｆｉｃａｔｉｏｎ）が対応付けられている。【００４８】広告画像データａｆ３は、イントラネットｎ１の内部で閲覧されるウェブページやネットワークアプリケーションに広告として挿入する画像や動画を表すデータである。なお、広告画像データａｆ３には、各々を特定する広告原稿ＩＤ（ＩＤｅｎｔｉｆｉｃａｔｉｏｎ）が対応付けられ、どの広告原稿データａｄ３と紐付けられている。【００４９】広告配信条件データａｃ３は、どのような条件が満たされたときに広告原稿データａｄ３や広告画像データａｆ３をイントラネットｎ１の少なくとも一部へ供給することを許可するかを、個々の広告原稿データ毎に示すデータである。配信サーバｓｙｓ１記録部ｍ１の広告配信条件データと同じデータを持つ。【００５０】広告挿入実績記録データａｓ３は、広告原稿データａｄ３が閲覧プログラムｐ３に従って、イントラネットｎ１において供給された実績を示すデータである。広告挿入実績データａｓ３には、各々を特定する広告出稿条件ＩＤ（ＩＤｅｎｔｉｆｉｃａｔｉｏｎ）が対応付けられる。【００５１】広告挿入実績デ���タａｓ３は、配信サーバｓｙｓ１記憶部の広告挿入実績データａｓ１と同様のデータを持つ。【００５２】広告閲覧実績データａｒ３は、閲覧プログラムｐ３によって制御部ｃ２を経由して、イントラネットｎ１において閲覧された実績を集計したデータである。広告閲覧実績データａｒ３には、各々を特定する広告閲覧条件ＩＤ（ＩＤｅｎｔｉｆｉｃａｔｉｏｎ）が対応付けられる。【００５３】広告閲覧実績データａｒ２は、配信サーバｓｙｓ１記憶部の広告挿入実績データａｓ１と同様のデータを持つ。【００５４】通信制御部ｔｒ３は、ルーターやハブ等より構成され、イントラネットｎ１、及び、制御部ｃ３に接続されている。通信制御部ｔｒ３は、イントラネットｎ１を介して組織内端末から、組織内配信サーバｓｙｓ３宛てのデータを受信して制御部ｃ３に供給し、また、制御部ｃ３より供給されたデータをイントラネットｎ１へと送出する。【００５５】イントラネットｎ１は、図３に示すように、組織内配信サーバｓｙｓ３と、組織内端末とにより構成されている。【００５６】組織内端末は、互いに実質的に同一の構成を有しており、それぞれ、パーソナルコンピュータ等より構成されていて、いずれも、ＬＡＮを介して組織内配信サーバ。【００５７】組織内端末は、それぞれ、ブラウザプログラム及びネットワークアプリケーションを記憶する。そして、操作者の操作に従ってこのブラウザプログラムを実行することにより、後述する閲覧の処理を行う。【００５８】外部記憶装置は、ＬＡＮ接続ではなく、物理的に着脱可能な記憶装置である。これは外付けのハードディスクでもよい。また、ＵＳＢやＲＳ２３２Ｃ等のケーブルでもよい。【００５９】（広告原稿データ準備の処理）イントラネットに広告を配信したい場合、広告代理店等は、広告主の要求に応じた広告を表す広告原稿データａｄ１とそれに紐づく広告画像データａｆ２を作成する。そして、この広告原稿データａｄ１を、広告配信サーバｓｙｓ１の記憶部ｍ１に記憶させる。また、広告代理店等は、広告配信条件データａｃ１を作成して、記憶部ｍ１に記憶させる。【００６０】（広告取得の処理）受信サーバｓｙｓ２の制御部ｃ２は、受信プログラムｐ２を実行することにより、ｈｔｔｐプロトコル（具体的には、たとえばＧＥＴメソッドあるいはＭＧＥＴメソッドなど）等に従い、通信制御部ｔｒ２を介して定期的に広告配信サーバｓｙｓ１にアクセスし、広告配信サーバｓｙｓ１に、広告原稿データａｄ１の送信を要求する（図４）。【００６１】広告配信サーバｓｙｓ１の制御部ｃ１は、広告原稿データａｄ１の送信を要求されると、記憶部ｍ１より広告配信条件データａｃ１を読み出し、タイマｔ１より現在日時を表す日時データを取得する。そして、読み出した広告配信条件データａｃ１と、取得した日時データとに基づき、個々の広告原稿データａｄ１毎に、広告原稿データａｄ１を送信する条件が満たされているか否かを判別する。【００６２】また、受信サーバｓｙｓ２の制御部ｃ２は、受信した広告原稿データａｄ１及び広告画像データａｆ１を、記録部ｍ２に記録し、外部記憶装置ｏｄ１に保存可能な形式のファイルとして出力する。【００６３】組織内配信サーバは、外部記憶装置ｏｄ３を経由して送られて���たファイルを、閲覧プログラムｐ３の指示により、記録部ｍ３に記録する。（図５）【００６４】組織内配信サーバｓｙｓ３の閲覧プログラムｐ３は、記録部ｍ３に記録された広告原稿データａｄ３と広告画像データａｆ３を、広告配信条件データに従って、イントラネットｎ１の組織内端末から、ブラウザ又はネットワークアプリケーションを利用して閲覧が可能な状態にする。【００６５】そして、閲覧プログラムｐ３は、組織内端末からの各広告原稿データａｄ１、及び広告画像データａｆ３へのアクセスを集計し、広告閲覧実績データａｒ３を作成する。【００６６】受信サーバｓｙｓ２は、外部記憶装置ｏｄ２経由で、広告閲覧実績データａｒ３を取り込むと、受信プログラムｐ２は記録部ｍ２に広告閲覧実績データａｒ２として記憶する。【００６７】受信プログラムｐ２は、広告閲覧実績データａｒ２が更新されると、通信制御部ｔｒ２を経由して、ネットワークＮに接続し、配信サーバｓｙｓ１へ広告閲覧実績データａｒ２を送信する。【００６８】そして、配信サーバｓｙｓ１は広告閲覧実績データａｒ２を受信すると、配信プログラムｐ１に従い、記録部ｍ１に広告閲覧実績データａｒ２を広告閲覧実績データａｒ１として記録する。【００６９】これにより広告代理店等は、広告のイントラネット内での閲覧パフォーマンスを測定することが可能となる。【００７０】なお、単一のサーバコンピュータ等が、組織内配信サーバの機能の一部又は全部を行ってもよい。
【図面の簡単な説明】
【００７１】
【図１】システム全体の構成である。
【図２】受信サーバの構成である。
【図３】組織内配信サーバの構成である。
【図４】広告取得処理の流れ図である。
【図５】イントラネット広告閲覧処理の流れ図である。
【符号の説明】
【００７２】  ｓｙｓ１−３  サーバ
ｔ１−３  サーバ内タイマ
ｃ１−３  サーバ内制御部
ｔｒ１−３  サーバ内通信制御部
ｍ１−３  サーバ内記憶部
ｐ１−３  プログラム
ａｄ１−３  広告原稿データ
ａｆ１−３  広告画像データ
ａｃ１−３  広告配信条件データ
ａｓ１−３  広告挿入実績データ
ａｒ１−３  広告閲覧実績データ
Ｎ  インターネット
ｎ１  イントラネット
ｏｄ２−３  外部記憶装置
【図１】
2006313506.tif 000003
【図２】
2006313506.tif 000004
【図３】
2006313506.tif 000005
【図４】
2006313506.tif 000006
【図５】
2006313506.tif 000007